(57)【特許請求の範囲】
【請求項１】
汚水処理槽の上流に設置する汚水貯留槽であって、前記汚水貯留槽内には送液ポンプが配置され、前記汚水貯留槽と前記汚水処理槽の間には前記送液ポンプからの汚水量を調整する水量調整装置が配置され、前記汚水貯留槽と前記汚水処理槽とは前記送液ポンプ及び前記水量調整装置を介して配管により接続され、汚水貯留槽内の最高水位に流出口のある消毒室を配置された汚水貯留槽。
【発明の詳細な説明】
【０００１】
【発明の属する技術分野】
本発明は、汚水貯留槽、さらに詳しくは家庭等から排出される生活排水を処理する汚水処理槽の前段に設ける汚水貯留槽に関する。
【０００２】
【従来の技術】
従来の汚水貯留槽と汚水処理槽の配置を図４に示す。汚水貯留槽１は、通常は汚水配管３と汚水処理槽の流入口４との勾配が十分に取れない場合や汚水処理槽２を地上に設置したい場合に、汚水処理槽２の上流側に配置され、汚水配管３から流入してくる汚水を一時的に貯留し、ポンプ５を介して下流側の汚水処理槽２に移流させる役割を担っている。汚水を供給するポンプ５は、汚水貯留槽に内蔵した水位センサー６により、槽内水の液面が高水位（Ｈ．Ｗ．Ｌ）に達した時に稼動し、空運転防止のために低水位（Ｌ．Ｗ．Ｌ）に達した時に停止する。このポンプは、故障や詰まりを考慮して２台設置されることが多く、槽内水の液面が最高水位（Ｈ．Ｈ．Ｗ．Ｌ）に達した時に、２台のポンプを同時に稼動させて、貯留した汚水ができる限り槽内から溢れることを防止している。
【０００３】
【発明が解決しようとする課題】
しかしながら、このような汚水貯留槽１では、次のような問題がある。家庭から排出される汚水は、汚水貯留槽１の槽内液面が高水位（Ｈ．Ｗ．Ｌ）に達すると、低水位（Ｌ．Ｗ．Ｌ）になるまで液送ポンプ５を稼動させるので、少なくとも低水位から高水位に相当する容量の汚水が一気に下流側の汚水処理槽２に移流することになる。これにより、汚水処理槽２での滞留時間が短くなり、汚水の処理が不十分になりやすい。そこで、液送ポンプ５からの移送量を調整することにより後段の汚水処理槽２へ移送される汚水の水量変動を小さくし、汚水処理槽２での処理を安定化させる方法がある。この場合には、家庭から排出される汚水の水量変動を汚水貯留槽１で吸収できるだけの容量を見込んでおく必要がある。しかしながら、汚水の流入が計画値より遥かに多い異常時には槽内水の液面が上昇し、さらには槽内水が汚水配管３にまで逆流してしまい、家庭から汚水を排出できなくなるという問題が生じる。本発明の課題は、以上のことを鑑みて、汚水貯留槽１から汚水処理槽２へ移送する汚水の水量を調整し、かつ、急激な汚水の流入がある場合においても流入槽内水の汚水配管３への逆流を防ぐことである。
【０００４】
【課題を解決するための手段】
上記課題を達成するため、本発明では次の構成を取った。すなわち、汚水処理槽２の上流に設置する汚水貯留槽７であって、前記汚水貯留槽１内には送液ポンプ８が配置され、前記汚水貯留槽７と前記汚水処理槽２の間には前記送液ポンプ８からの汚水量を調整する水量調整装置９が配置され、前記汚水貯留槽７と前記汚水処理槽２とは前記送液ポンプ８及び前記水量調整装置９を介して配管１２，１５により接続され、汚水貯留槽１内の最高水位に流出口１０のある消毒室１１を配置されていることを特徴とする汚水貯留槽である。
【０００５】
【発明の実施の形態】
本発明による汚水貯留槽を構成する汚水貯留槽７は、図１に示す通り、汚水処理槽２へ汚水を移流させるための液送ポンプ８が汚水貯留槽７内に内蔵され、汚水貯留槽７と汚水処理槽２が液送ポンプ８と水量調整装置９を介して配管１２で接続され、汚水貯留槽７の最高水位に流出口１０を有した消毒室１１が配置されている。液送ポンプ８は、水中ポンプで図示されているが、汚水を汲み上げて下流側の汚水処理槽８に移流できるものであれば、水中ポンプ以外の液送ポンプ、例えば、エアリフトポンプでも構わない。また、液送ポンプ９の稼動は、通常、連続的に運転されるが、タイマーを用いて間欠的に運転しても良い。
【０００６】
水量調整装置９は、前述した通り、液送ポンプ８から移送される汚水貯留槽７の槽内水の水量を調整することを目的として液送ポンプ８と汚水処理槽８とを接続する配管１２の間に設置されている。  図１では、水量調整装置９は、汚水貯留槽７および汚水処理槽２の外側で接続されているが、汚水貯留槽７の内部で接続されても、汚水処理槽２の内部で接続されても良い。また、水量調整装置９は、図２に示した堰高調整方式を採用しており、移送堰１３と余剰返送堰１４の高さの関係によって汚水処理槽２へ移送される水量を調整するものである。水量調整装置９は、ここで述べた堰高調整方式でなくとも、汚水処理槽２へ移送される水量を調整できるものであれば他の方式を採用することができ、例えば、単純にバルブによって水量を少なく絞る方式でも良い。なお、これらの水量調整の手段を取って余剰水が発生する場合には、余剰水を汚水貯留槽７に戻すための配管１５を設置する必要がある。
【０００７】
消毒室１１は、汚水貯留槽７でオーバーフローした槽内水を排出するにあたり、消毒を施すことを目的として配置されている。消毒槽１１は、図３に示した接触溶解方式を採用しており、消毒剤を溶解させるための接触溶解部１６と溶解した消毒成分と汚水を反応させて消毒するための反応部１７から構成されている。消毒剤は、汚水中に存在する細菌を死滅させる成分、例えば、次亜塩素酸、トリクロロイソシヌアール酸等を含む塩素系化合物が挙げられ、消毒筒１８に充填されている。近年では塩素と有機物が結合してできるトリハロメタン、トリクロロエチレン等の発ガン性物質が問題となっていることから、紫外線照射方式や電解滅菌方式による消毒を採用しても良い。
【０００８】
次に、本発明の汚水貯留槽を用いた汚水の流れについて、汚水処理槽を地上設置にする場合を例として図１に基づいて説明する。
【０００９】
家庭から排出された汚水は、汚水貯留槽７の流入口１９から流入し、槽内に一時的に貯留され、順次液送ポンプ８により配管１２を通って水量調整装置９に移流される。水量調整装置９に移流した汚水は、移流堰（三角堰）１３と余剰水返送堰（四角堰）１４の高さを調整することによって、下流側に移送される汚水の水量が調整される。前記の水量調整により生じた余剰水は、配管１５を通って汚水貯留槽７に返送されて再び貯留される。水量調整槽９で水量を調整された汚水は、汚水処理槽２へ移流して処理を受ける。ここで、家庭から排出された汚水が計画値より著しく多くなり、汚水貯留槽７で汚水を吸収できなくなった場合について説明する。汚水貯留槽７の液面が高水位（Ｈ．Ｗ．Ｌ）に達すると、汚水貯留槽７の槽内水は、消毒槽１２の接触溶解部に移流し、消毒筒１９内に充填した消毒剤と接触して消毒成分が溶解され、反応滅菌部で消毒成分と汚水が混ざることにより汚水中の病原菌を含む細菌が死滅し、最終的に流出口１０を経て、汚泥貯留槽７の系外に排出される。
【００１０】
【発明の効果】
本発明によれば、計画汚水量を超えるような場合において、オーバーフローによる汚水の逆流を回避することができ、オーバーフロー水を消毒して放流することができる。
【図面の簡単な説明】
【図１】本発明による汚水貯留槽を示す断面図である。
【図２】流量調整装置の斜視図である。
【図３】消毒槽の斜視図である。
【図４】従来の汚水貯留槽を示す断面図である。
【符号の説明】
１．汚水貯留槽              ２．汚水処理槽
３．汚水配管                ４．流入口
５．ポンプ                  ６．水位センサー
７．汚水貯留槽              ８．液送ポンプ
９．流量調整装置          １０．流出口
１１．消毒槽                １２．配管
１３．移送堰                １４．余剰水返送堰
１５．配管                  １６．接触溶解部
１７．反応部                １８．消毒筒
１９．流入口
【図１】
0003630234.tif 000002
【図２】
0003630234.tif 000003
【図３】
0003630234.tif 000004
【図４】
0003630234.tif 000005